(57)【要約】【課題】  本発明は，様々な用途に用いることができ，ユーザにワクワク感を与えるようなバルーン照明システムを提供することを目的とする。【解決手段】  本発明は，基本的には，加速度センサを用いることで，バルーンが急速に移動した場合に発光色を変化させることができるバルーン照明システムを提供することができるという知見に基づく。バルーン照明システムは，バルーン１と，バルーン１の内部に収容された送受信器３付きＬＥＤ５と，ＬＥＤ５の送受信器３へ色指令に関する無線信号を出力する色指令装置７と，を有するバルーン照明システム１０に関する。そして，送受信器３付きＬＥＤ５は，加速度センサ１３を有する。【選択図】図１
2011130979.tif 000002
【特許請求の範囲】
【請求項１】
バルーン（１）と，
前記バルーン（１）の内部に収容された送受信器（３）付きＬＥＤ（５）と，
前記ＬＥＤ（５）の送受信器（３）へ色指令に関する無線信号を出力する色指令装置（７）と，
を有するバルーン照明システム（１０）であって，
前記送受信器（３）付きＬＥＤ（５）は，加速度センサ（１３）を有し，
前記ＬＥＤ（５）の送受信器（３）は，前記加速度センサ（１３）が観測した加速度に関する情報を，前記色指令装置（７）へ送信し，
前記色指令装置（７）は，前記加速度に関する情報を受信し，前記加速度に基づいてＬＥＤ（５）の色を決定し，決定したＬＥＤ（５）の色に関する情報を前記ＬＥＤ（５）に送信し，
前記ＬＥＤ（５）の送受信装置は，前記色指令装置（７）から送信されたＬＥＤ（５）の色に関する情報を受信して，前記ＬＥＤ（５）は，当該受信したＬＥＤ（５）の色に関する情報に基づいて色を変化させる，
バルーン照明システム（１０）。
【請求項２】
前記色指令装置（７）は，閾値を記憶した閾値記憶部（１５）を有し，前記加速度と閾値記憶部（１５）に記憶される閾値とを比較して，前記加速度が前記閾値以上である場合に，前記ＬＥＤ（５）の色を変化させるように色に関する情報を出力する，
請求項１に記載のバルーン照明システム（１０）。
【請求項３】
前記色指令装置（７）は，閾値を記憶した閾値記憶部（１５）とＬＥＤ（５）の色の順番を記憶したカラーオーダー記憶部（１７）を有し，前記加速度と閾値記憶部（１５）に記憶される閾値とを比較して，前記加速度が前記閾値以上である場合に，前記カラーオーダー記憶部（１７）に記憶されたＬＥＤ（５）の色の順にＬＥＤ（５）の色を変化させるよう，ＬＥＤ（５）の色に関する情報を出力する，
請求項１に記載のバルーン照明システム（１０）。
【請求項４】
前記色指令装置（７）は，閾値を記憶した閾値記憶部（１５）と，加速度の方向とＬＥＤ（５）の色の関係を記憶したカラー記憶部（１９）を有し，前記加速度と閾値記憶部（１５）に記憶される閾値とを比較して，前記加速度が前記閾値以上である場合に，前記加速度の方向に関する情報を用いて前記カラー記憶部（１９）からＬＥＤ（５）の色に関する情報を読み出して，読み出したＬＥＤ（５）の色に関する情報を出力する，
請求項１に記載のバルーン照明システム（１０）。
【請求項５】
前記バルーン（１）は複数存在し，
前記色指令装置（７）は，あるバルーン（１）から受信した加速度に関する情報がＬＥＤ（５）の色を変化させる値である場合には，すべてのバルーン（１）にＬＥＤ（５）の色に関する情報を送信し，
前記複数のバルーン（１）に含まれるそれぞれの送受信器（３）は，前記色に関する情報を受信して，前記複数のＬＥＤ（５）は，それぞれのＬＥＤ（５）の色を変化させる
請求項１に記載のバルーン照明システム（１０）。
【請求項６】
請求項１又は５に記載のバルーン照明システム（１０）であって，
１又は複数の屋内照明（２１）をさらに有し，
前記１又は複数の屋内照明（２１）は，前記色指令装置（７）からの指令によりその色を変化させるものであり，
前記色指令装置（７）は，前記バルーン（１）から受信した加速度に関する情報がＬＥＤ（５）の色を変化させる値である場合には，前記ＬＥＤ（５）にＬＥＤ（５）の色に関する情報を送信するとともに，前記１又は複数の屋内照明（２１）へ色に関する情報を送信し，
前記バルーン（１）に含まれるそれぞれの送受信器（３）は，前記色に関する情報を受信して，それぞれのＬＥＤ（５）の色を変化させるとともに，
前記１又は複数の屋内照明（２１）は，前記色に関する情報に基づいて照明色を変化させる，
バルーン照明システム（１０）。
【請求項７】
請求項１〜６のいずれかに記載のバルーン照明システム（１０）であって，
１又は複数のスクリーン（２２）をさらに有し，
前記１又は複数のスクリーン（２１）は，前記色指令装置（７）からの指令によりその色を変化させるものであり，
前記色指令装置（７）は，前記バルーン（１）から受信した加速度に関する情報がＬＥＤ（５）の色を変化させる値である場合には，前記ＬＥＤ（５）にＬＥＤ（５）の色に関する情報を送信するとともに，前記１又は複数の屋内照明（２１）へ色に関する情報を送信し，
前記バルーン（１）に含まれるそれぞれの送受信器（３）は，前記色に関する情報を受信して，それぞれのＬＥＤ（５）の色を変化させるとともに，
前記１又は複数のスクリーン（２１）は，前記色に関する情報に基づいて照明色を変化させる，
バルーン照明システム（１０）。
【請求項８】
第１のバルーン（３１）と，
前記第１のバルーン（３１）の内部に収容された送受信器（３３）付きＬＥＤ（３５）と，
前記第１のバルーン（３１）とは別の第２のバルーン（４１）であって，内部に収容された送受信器（４３）付きＬＥＤ（４５）を有するものと，
を含む，
バルーン照明システム（１０）であって，
前記第１のバルーン（３１）の送受信器付きＬＥＤ（３５）及び前記第２のバルーン（４１）の送受信器付きＬＥＤ（４５）は，それぞれ加速度センサ（３６，４６）を有し，前記加速度センサ（３６，４６）が測定した加速度により発光色を変化させるとともに，前記第１のバルーン（３１）の送受信器（３３）又は前記第２のバルーン（４１）の送受信器（４３）から色に関する無線信号を出力するものであり，
前記無線信号を受け取った前記第１のバルーン（３１）の送受信器（３３）又は前記第２のバルーン（４１）の送受信器（４３）は，前記色に関する情報を受信して，前記第１のバルーン（３１）の内部のＬＥＤ（３５）又は第２のバルーン（４１）内部のＬＥＤ（４５）の発光色を変化させる，
バルーン照明システム。
【発明の詳細な説明】
【技術分野】
【０００１】
本発明はバルーン照明システムに関する。
【背景技術】
【０００２】
特開２００８−１２５７１８号公報には，浮遊発光風船が開示されている。この風船は，発光体に音に反応するセンサを取り付け，外部から音がしたら自動的に発光するようにしたものや，発光体に振動に反応するセンサを取り付け，外部から振動を与えると自動的に発光するようにしたものが開示されている（段落[００３２]）。
【先行技術文献】
【特許文献】
【０００３】
【特許文献１】特開２００８−１２５７１８号公報
【発明の概要】
【発明が解決しようとする課題】
【０００４】
しかしながら，特開２００８−１２５７１８号公報に開示された浮遊発光風船は，発光体の色を変化させることは意図されておらず，嗜好性に乏しい。
【０００５】
そこで，本発明は，様々な用途に用いることができ，ユーザにワクワク感を与えるようなバルーン照明システムを提供することを目的とする。
【０００６】
また，本発明は，複数のバルーン照明について同期をとって，いっせいに発光色を変化させることができるバルーン照明システムを提供することを目的とする。
【０００７】
さらに，本発明は，屋内照明とバルーン照明について同期をとって，バルーン照明を変化させるとともに屋内照明の発光色も変化させることができるバルーン照明システムを提供することを目的とする。
【課題を解決するための手段】
【０００８】
本発明は，基本的には，加速度センサを用いることで，バルーンが急速に移動した場合に発光色を変化させることができるバルーン照明システムを提供することができるという知見に基づく。
【０００９】
本発明の第１の側面は，バルーン１と，バルーン１の内部に収容された送受信器３付きＬＥＤ５と，ＬＥＤ５の送受信器３へ色指令に関する無線信号を出力する色指令装置７と，を有するバルーン照明システム１０に関する。そして，送受信器３付きＬＥＤ５は，加速度センサ１３を有する。
【００１０】
ＬＥＤ５の送受信器３は，加速度センサ１３が観測した加速度に関する情報を，色指令装置７へ送信する。次に，色指令装置７は，加速度に関する情報を受信し，加速度に基づいてＬＥＤ５の色を決定し，決定したＬＥＤ５の色に関する情報をＬＥＤ５に送信する。その後，ＬＥＤ５の送受信装置は，色指令装置７から送信されたＬＥＤ５の色に関する情報を受信して，ＬＥＤ５は，当該受信したＬＥＤ５の色に関する情報に基づいて色を変化させる。
【００１１】
このバルーン照明システムの好ましい態様は，色指令装置７は，閾値を記憶した閾値記憶部１５を有するものである。そして，色指令装置７は，加速度と閾値記憶部１５に記憶される閾値とを比較して，加速度が閾値以上である場合に，ＬＥＤ５の色を変化させるように色に関する情報を出力する。
【００１２】
このバルーン照明システムの好ましい態様は，色指令装置７は，閾値を記憶した閾値記憶部１５とＬＥＤ５の色の順番を記憶したカラーオーダー記憶部１７を有するものである。そして，加速度と閾値記憶部１５に記憶される閾値とを比較して，加速度が閾値以上である場合に，カラーオーダー記憶部１７に記憶されたＬＥＤ５の色の順にＬＥＤ５の色を変化させるよう，ＬＥＤ５の色に関する情報を出力する。
【００１３】
このバルーン照明システムの好ましい態様は，色指令装置７は，閾値を記憶した閾値記憶部１５と，加速度の方向とＬＥＤ５の色の関係を記憶したカラー記憶部１９を有するものである。そして，加速度と閾値記憶部１５に記憶される閾値とを比較して，加速度が閾値以上である場合に，加速度の方向に関する情報を用いてカラー記憶部１９からＬＥＤ５の色に関する情報を読み出して，読み出したＬＥＤ５の色に関する情報を出力する。
【００１４】
このバルーン照明システムの好ましい態様は，バルーン１が複数存在するものである。そして，色指令装置７は，あるバルーン１から受信した加速度に関する情報がＬＥＤ５の色を変化させる値である場合には，すべてのバルーン１にＬＥＤ５の色に関する情報を送信する。すると，複数のバルーン１に含まれるそれぞれの送受信器３は，色に関する情報を受信して，複数のＬＥＤ５は，それぞれのＬＥＤ５の色を変化させる。
【００１５】
このバルーン照明システムの好ましい態様は，１又は複数の屋内照明２１をさらに有するものである。この１又は複数の屋内照明２１は，色指令装置７からの指令によりその色を変化させるものである。
【００１６】
そして，色指令装置７は，バルーン１から受信した加速度に関する情報がＬＥＤ５の色を変化させる値である場合には，ＬＥＤ５にＬＥＤ５の色に関する情報を送信するとともに，１又は複数の屋内照明２１へ色に関する情報を送信する。すると，バルーン１に含まれるそれぞれの送受信器３は，色に関する情報を受信して，それぞれのＬＥＤ５の色を変化させる。一方，１又は複数の屋内照明２１は，色に関する情報に基づいて照明色を変化させる。
【００１７】
このバルーン照明システムの好ましい態様は，１又は複数のスクリーン２２をさらに有するものである。この１又は複数のスクリーン２２は，色指令装置７からの指令によりその色を変化させるものである。
【００１８】
そして，色指令装置７は，バルーン１から受信した加速度に関する情報がＬＥＤ５の色を変化させる値である場合には，ＬＥＤ５にＬＥＤ５の色に関する情報を送信するとともに，１又は複数のスクリーン２２へ色に関する情報を送信する。すると，バルーン１に含まれるそれぞれの送受信器３は，色に関する情報を受信して，それぞれのＬＥＤ５の色を変化させる。一方，１又は複数のスクリーン２２は，色に関する情報に基づいて照明色を変化させる。
【００１９】
バルーン照明システムの好ましい態様は，バルーンの内部に他のバルーンに対して発光色を変化させる指令を無線送信する機能を有するものである。このシステムも，先に説明したものと同様，第１のバルーン３１と，第１のバルーン３１の内部に収容された送受信器３３付きＬＥＤ３５を有する。また，このバルーン照明システムは，複数のバルーンが存在することが前提である。それらを代表して第２のバルーンとすると，第２のバルーン４１は，第１のバルーン３１とは別のバルーンあって，内部に収容された送受信器４３付きＬＥＤ４５を有するものである。
【００２０】
そして，第１のバルーン３１の送受信器付きＬＥＤ３５及び第２のバルーン４１の送受信器付きＬＥＤ４５は，それぞれ加速度センサ３６，４６を有する。ＬＥＤ３５，ＬＥＤ４５は，加速度センサ３６，４６が測定した加速度により発光色を変化させるとともに，第１のバルーン３１の送受信器３３又は第２のバルーン４１の送受信器４３から色に関する無線信号を出力する。そして，無線信号を受け取った第１のバルーン３１の送受信器３３又は第２のバルーン４１の送受信器４３は，色に関する情報を受信して，第１のバルーン３１の内部のＬＥＤ３５又は第２のバルーン４１内部のＬＥＤ４５の発光色を変化させる。
【発明の効果】
【００２１】
本発明によれば，加速度センサにより発光色を変化させることができるので，ユーザにワクワク感を与えるようなバルーン照明システムを提供することができる。
【００２２】
また，本発明によれば，複数のバルーン照明について同期をとって，いっせいに発光色を変化させることができるので，より嗜好性の強いバルーン照明システムを提供することができる。
【００２３】
特に，この複数のバルーン照明を有するシステムは，ライブなどにおいて好ましく用いることができる。ライブにおいてこのバルーン照明システムを用いれば，観客の頭上に複数のバルーンを浮遊させることができる。オーディエンスがバルーンを打つことで，発光色を変化させることができる。すなわち，ライブ空間を，ＤＪ，ＶＪ，演出家などのみによって構築された空間ではなく，オーディエンスの意図・行為を反映できる空間とすることができる。
【００２４】
さらに，本発明は，屋内照明とバルーン照明について同期をとって，バルーン照明を変化させるとともに屋内照明の発光色も変化させることができるので，さらに嗜好性の強いバルーン照明システムを提供することができる。
【図面の簡単な説明】
【００２５】
【図１】図１は，バルーン照明システムの概念を示すブロック図である。
【図２】図２は，バルーン照明システムの別の例の概念を示すブロック図である。
【図３】図３は，バルーン及びＬＥＤを複数有する本発明のバルーン照明システムの概念を示すブロック図である。
【図４】図４は，バルーンの色がいっせいに変化する様子を示す概念図である。
【図５】図５は，バルーンの変化にともない，屋内照明の色も変化するバルーン照明システムの概念を示すブロック図である。
【図６】図６は，バルーン照明の発光色と屋内照明の発光色が変化した様子を示す図である。
【図７】図７は，バルーン照明の発光色とスクリーンの発光色が変化した様子を示す図である。
【図８】図８は，バルーン照明システムの概念を示すブロック図である。
【発明を実施するための形態】
【００２６】
図１は，バルーン照明システムの概念を示すブロック図である。図１に示されるように，このシステムは，バルーン１と，バルーン１の内部に収容された送受信器３付きＬＥＤ５と，ＬＥＤ５の送受信器３へ色指令に関する無線信号を出力する色指令装置７とを有する。
【００２７】
バルーン１は，空中に浮遊するものであれば，特に限定されない。バルーンの大きさは，たとえば，直径５０ｃｍ以上３ｍ以下があげられる。バルーンの中には，たとえば，窒素，ヘリウム，又は空気が充填されている。
【００２８】
送受信器３付きＬＥＤ５は，バルーン１の内部に収容される。このＬＥＤは，図示しないコンピュータを有する。このコンピュータは，入出力部，制御部，演算部及び記憶部を有する。そして，それぞれの要素はバスなどで接続され情報の授受を行うことができるようにされている。送受信機３は，コンピュータの入出力部として機能する。記憶部には，所定の制御プログラムが記憶されている。制御部は，所定の情報が入出力部から入力された場合，制御プログラムを読み出して，記憶部に記憶されたデータを適宜読み出すとともに，演算部により所定の演算を行い，入出力部から演算結果を出力する。この出力は，たとえば，ＬＥＤへと伝えられ，ＬＥＤの発光色が変化する。
【００２９】
送受信器３付きＬＥＤ５は，さらに加速度センサ１３を有する。加速度センサ１３は，コンピュータと接続されている。加速度センサがバルーンの加速度を測定すると，測定した加速度は，記憶部に一時的に記憶される。そして，制御部は，制御プログラムに従って，一時的に記憶された加速度を読み出して，送受信機３へ出力する。ＬＥＤ５の送受信器３は，加速度センサ１３が観測した加速度に関する情報を，色指令装置７へ送信する。
【００３０】
色指令装置７は，ＬＥＤ５の送受信器３へ色指令に関する無線信号を出力するための装置である。この装置も送受信機の他にコンピュータを含んでいる。このコンピュータは，入出力部，制御部，演算部及び記憶部を有する。そして，それぞれの要素はバスなどで接続され，情報の授受を行うことができるようにされている。
【００３１】
色指令装置７は，加速度に関する情報を受信する。すなわち，色指令装置７の送受信機は，ＬＥＤ５の送受信機３から送信された加速度に関する情報を受け取る。そして，受け取った加速度に関する情報をコンピュータに入力する。コンピュータは，制御プログラムの指令に基づいて，加速度に関する情報を用いてＬＥＤ５の色を決定し，決定したＬＥＤ５の色に関する情報をＬＥＤ５に送信する。ＬＥＤ５の送受信装置は，色指令装置７から送信されたＬＥＤ５の色に関する情報を受信する。そして，ＬＥＤ５は，受信したＬＥＤ５の色に関する情報に基づいて色を変化させる。
【００３２】
色指令装置７の好ましい例は，閾値を記憶した閾値記憶部１５を有するものである。このシステムは，ＬＥＤ５から受信した加速度に関する情報を記憶部に記憶する。そして，制御部は，閾値記憶部１５に記憶される閾値を読み出すとともに，記憶部に記憶した加速度に関する情報を読み出し，演算部にこれらの値を比較させる。そして，演算部の演算結果が，加速度が閾値以上である場合に，ＬＥＤ５の色を変化させるように色を変化させる指令を出力する。この色に関する情報は，色指令装置７の送受信機から，ＬＥＤ５へ無線にて出力される。この色に関する情報を受け取ったＬＥＤ５は，この指令に従ってＬＥＤの発光色を変化させる。
【００３３】
この例では，たとえば，記憶部は色テーブルを有するとともに，演算部はランダム数計算部を有しており，演算部が求めたランダム数にしたがって，色テーブルから色を求めてもよい。このようにすることで，色に関する情報として，ランダムに変化する色に関する情報を送信することができることとなる。
【００３４】
色指令装置７の好ましい上記とは別の例は，閾値を記憶した閾値記憶部１５とＬＥＤ５の色の順番を記憶したカラーオーダー記憶部１７を有するものである。そして，加速度と閾値記憶部１５に記憶される閾値とを比較して，加速度が前記閾値以上である場合に，カラーオーダー記憶部１７に記憶されたＬＥＤ５の色の順にＬＥＤ５の色を変化させるよう，ＬＥＤ５の色に関する情報を出力するものである。
【００３５】
図２は，バルーン照明システムの別の例の概念を示すブロック図である。図２に示されるように，色指令装置７の上記とは別の例は，閾値を記憶した閾値記憶部１５と，加速度の方向とＬＥＤ５の色の関係を記憶したカラー記憶部１９を有するものである。この例では，加速度と閾値記憶部１５に記憶される閾値とを比較して，加速度が前記閾値以上である場合に，以下の処理を行う。すなわち，色指令装置７は，加速度の方向に関する情報を受け取って記憶部に記憶する。そして，色指令装置７は，記憶部から加速度の方向に関する情報を読み出す。そして，カラー記憶部１９は，加速度の方向とＬＥＤ５の色の関係を関連付けて記憶しているので，色指令装置７は，加速度の方向に関する情報を用いて，カラー機億部１９からＬＥＤ５の発光色に関する情報を読み出す。そして，読み出したＬＥＤ５の色に関する情報を，色指令装置７の送受信機は，ＬＥＤ５へ向けて出力する。すると，ＬＥＤ５は，この色に関する情報に従って，発光色を変化させる。
【００３６】
図３は，バルーン及びＬＥＤを複数有する本発明のバルーン照明システムの概念を示すブロック図である。
【００３７】
図３に示されるように，このシステムでは，バルーン１が複数存在する。そして，色指令装置７は，あるバルーン１から受信した加速度に関する情報がＬＥＤ５の色を変化させる値である場合には，すべてのバルーン１にＬＥＤ５の色に関する情報を送信する。すると，複数のバルーン１に含まれるそれぞれの送受信器３は，この色に関する情報を受信する。すると，複数のＬＥＤ５は，それぞれのＬＥＤ５の色を変化させる。
【００３８】
なお，送受信器３付きＬＥＤ５の制御プログラムは，加速度を用いて色を変化するプログラムを有しており，色指令装置７へ加速度に関する情報を送信する前に色を変化させるものであってもよい。この場合，加速度が変化したバルーンの色がまず変化して，その後に，それ以外のバルーンの色が変化することとなる。また，ＬＥＤ５の送受信器３は，ＲＦＩＤ信号を受け取って，受け取ったＲＦＩＤ信号に応じて色を変化させるものであってもよい。この場合，たとえば，ＬＥＤ５は，ＲＦＩＤに応じて変化させる色を記憶する。そして，加速度が閾値以上の場合であって，ＲＦＩＤ信号を受信した場合，記憶部からＲＦＩＤと色との関係を読み出す。そして，受信したＲＦＩＤに関する情報を用いて，ＬＥＤ５の発光色を決める。そして，ＬＥＤ５の発光色を変化させる。その一方，ＬＥＤ５の送受信機３は，色指令装置７へ変化させる色情報を送信する。すると，色指令装置７は，すべてのＬＥＤに対し，色に関する情報を送信する。すると，これを受け取った複数のＬＥＤは，いっせいに色を変化させる。
【００３９】
図４は，バルーンの色がいっせいに変化する様子を示す概念図である。この態様のシステムは，あるバルーンが閾値以上の加速度で移動した際に，すべてのバルーン（ＬＥＤ）に対して，色変更指令を出力するものである。そのほかの処理は先に説明したものと同様であり，先に説明した構成や処理手順を適宜採用することができる。
【００４０】
図５は，バルーンの変化にともない，屋内照明の色も変化するバルーン照明システムの概念を示すブロック図である。
【００４１】
図５に示されるように，このバルーン照明システムは，上記いずれかのバルーン照明システムに加えて，１又は複数の屋内照明２１をさらに有する。そして，１又は複数の屋内照明２１は，色指令装置７からの指令によりその色を変化させるものである。
【００４２】
このシステムにおいて，色指令装置７は，バルーン１から受信した加速度に関する情報がＬＥＤ５の色を変化させる値である場合には，ＬＥＤ５にＬＥＤ５の色に関する情報を送信する。さらに，色指令装置７は，１又は複数の屋内照明２１へ色に関する情報を送信する。なお，色指令装置７と屋内照明２１とは有線により接続されていてもよい。また，屋内照明として色を変化させることができるものは既に知られている。すると，バルーン１に含まれるそれぞれの送受信器３は，色に関する情報を受信して，それぞれのＬＥＤ５の色を変化させる。一方，１又は複数の屋内照明２１は，色に関する情報に基づいて照明色を変化させる。
【００４３】
図６は，バルーン照明の発光色と屋内照明の発光色が変化した様子を示す図である。図６に示されるように，このシステムは，バルーン照明の発光色を変化させるとともに屋内照明の発光色をも変化させることができる。
【００４４】
図７は，バルーンの変化にともない，スクリーンの色も変化するバルーン照明システムの概念を示すブロック図である。スクリーンは，ＯＨＰにより表示されたものであってもよい。また，スクリーンは，照明から壁などに放映されたものであってもよい。さらに，スクリーンは，大型モニタのスクリーン画面であってもよい。
【００４５】
図７に示されるように，このバルーン照明システムは，上記いずれかのバルーン照明システムに加えて，１又は複数のスクリーン２２をさらに有する。そして，１又は複数のスクリーン２２は，色指令装置７からの指令によりその色を変化させるものである。
【００４６】
このシステムにおいて，色指令装置７は，バルーン１から受信した加速度に関する情報がＬＥＤ５の色を変化させる値である場合には，ＬＥＤ５にＬＥＤ５の色に関する情報を送信する。さらに，色指令装置７は，１又は複数のスクリーン２２へ色に関する情報を送信する。なお，色指令装置７とスクリーン２２とは有線により接続されていてもよい。また，スクリーンとして色を変化させることができるものは既に知られている。すると，バルーン１に含まれるそれぞれの送受信器３は，色に関する情報を受信して，それぞれのＬＥＤ５の色を変化させる。一方，１又は複数のスクリーン２２は，色に関する情報に基づいて照明色を変化させる。
【００４７】
図８は，バルーン照明システムの概念を示すブロック図である。このシステムは，バルーン照明システムの好ましい態様は，バルーンの内部に他のバルーンに対して発光色を変化させる指令を無線送信する機能を有するものである。換言すると，このシステムは，それぞれＬＥＤが，先に説明した色指令装置７の機能をも有しているものである。このため，このシステムにおいても，先に説明したすべての態様を組み合わせて用いることができる。
【００４８】
このシステムも，先に説明したものと同様，第１のバルーン３１と，第１のバルーン３１の内部に収容された送受信器３３付きＬＥＤ３５を有する。また，このバルーン照明システムは，複数のバルーンが存在することが前提である。それらを代表して第２のバルーンとする。第２のバルーン４１は，第１のバルーン３１とは別のバルーンあって，内部に収容された送受信器４３付きＬＥＤ４５を有する。そして，第１のバルーン３１の送受信器付きＬＥＤ３５及び第２のバルーン４１の送受信器付きＬＥＤ４５は，それぞれ加速度センサ３６，４６を有する。
【００４９】
たとえば，第１のバルーン３１内には，色指令装置７と同様閾値を記憶する記憶部が存在する。そして，加速度センサ３６が測定した加速度が，記憶部に記憶された閾値より大きい場合，ＬＥＤ３５の制御部は，ＬＥＤ３５の発光色を変化させる指令を出力し，ＬＥＤ３５の発光部はこの指令に基づいてＬＥＤ３５の発光色を変化させる。一方，第１のバルーン３１の送受信器３３は色に関する無線信号を出力する。この無線信号は，たとえば，ＬＥＤ３５の発光色と同じ色にＬＥＤの発光色を変化させるための指令を含む信号である。そして，第２のバルーン４１の送受信器４３は，この無線信号を受け取る。第２のバルーン４１内のＬＥＤ４５も，色指令装置７と同様の構成を有している。このため，第２のバルーン４１内のＬＥＤ４５は，受け取った無線信号を解析して，ＬＥＤ４５の発光部の発光色を変化させる。
【００５０】
なお，上記の説明において第１のバルーン及び第２のバルーンという呼び名は便宜的なものであって，第２のバルーンの加速度が所定の値以上変化した場合は，第２のバルーンの発光色が変化し，それに伴って第１のバルーン及び他のバルーンの発光色も変化する。
【産業上の利用可能性】
【００５１】
本発明のシステムは，照明の分野で利用することができるほか，嗜好性が強いためゲーム産業やエンターテイメント産業において利用されうる。また，本発明は，バルーンが移動した際にバルーンに収容されたＬＥＤの発光色が変化するので，バルーンを移動させあう運動に用いることができる。よって，本発明は運動機器の分野においても利用されうる。
【符号の説明】
【００５２】
１  バルーン
３  送受信器
５  ＬＥＤ（発光ダイオード）
７  色指令装置
１０  バルーン照明システム
１３  加速度センサ
【図１】
2011130979.tif 000003
【図２】
2011130979.tif 000004
【図３】
2011130979.tif 000005
【図４】
2011130979.tif 000006
【図５】
2011130979.tif 000007
【図６】
2011130979.tif 000008
【図７】
2011130979.tif 000009
【図８】
2011130979.tif 000010
【手続補正書】
【提出日】平成22年4月5日(2010.4.5)
【手続補正１】
【補正対象書類名】特許請求の範囲
【補正対象項目名】請求項７
【補正方法】変更
【補正の内容】
【請求項７】
請求項１〜６のいずれかに記載のバルーン照明システム（１０）であって，
１又は複数のスクリーン（２２）をさらに有し，
前記１又は複数のスクリーン（２２）は，前記色指令装置（７）からの指令によりその色を変化させるものであり，
前記色指令装置（７）は，前記バルーン（１）から受信した加速度に関する情報がＬＥＤ（５）の色を変化させる値である場合には，前記ＬＥＤ（５）にＬＥＤ（５）の色に関する情報を送信するとともに，前記１又は複数のスクリーン（２２）へ色に関する情報を送信し，
前記バルーン（１）に含まれるそれぞれの送受信器（３）は，前記色に関する情報を受信して，それぞれのＬＥＤ（５）の色を変化させるとともに，
前記１又は複数のスクリーン（２２）は，前記色に関する情報に基づいて照明色を変化させる，
バルーン照明システム（１０）。
【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
バルーン（１）と，
前記バルーン（１）の内部に収容された送受信器（３）付きＬＥＤ（５）と，
前記ＬＥＤ（５）の送受信器（３）へ色指令に関する無線信号を出力する色指令装置（７）と，
を有するバルーン照明システム（１０）であって，
前記送受信器（３）付きＬＥＤ（５）は，加速度センサ（１３）を有し，
前記ＬＥＤ（５）の送受信器（３）は，前記加速度センサ（１３）が観測した加速度に関する情報を，前記色指令装置（７）へ送信し，
前記色指令装置（７）は，前記加速度に関する情報を受信し，前記加速度に基づいてＬＥＤ（５）の色を決定し，決定したＬＥＤ（５）の色に関する情報を前記ＬＥＤ（５）に送信し，
前記ＬＥＤ（５）の送受信装置は，前記色指令装置（７）から送信されたＬＥＤ（５）の色に関する情報を受信して，前記ＬＥＤ（５）は，当該受信したＬＥＤ（５）の色に関する情報に基づいて色を変化させる，
バルーン照明システム（１０）であって，
前記バルーン（１）は複数存在し，
前記色指令装置（７）は，あるバルーン（１）から受信した加速度に関する情報がＬＥＤ（５）の色を変化させる値である場合には，すべてのバルーン（１）にＬＥＤ（５）の色に関する情報を送信し，
前記複数のバルーン（１）に含まれるそれぞれの送受信器（３）は，前記色に関する情報を受信して，前記複数のＬＥＤ（５）は，それぞれのＬＥＤ（５）の色を変化させる
バルーン照明システム（１０）。
【請求項２】
前記色指令装置（７）は，閾値を記憶した閾値記憶部（１５）を有し，前記加速度と閾値記憶部（１５）に記憶される閾値とを比較して，前記加速度が前記閾値以上である場合に，前記ＬＥＤ（５）の色を変化させるように色に関する情報を出力する，
請求項１に記載のバルーン照明システム（１０）。
【請求項３】
前記色指令装置（７）は，閾値を記憶した閾値記憶部（１５）とＬＥＤ（５）の色の順番を記憶したカラーオーダー記憶部（１７）を有し，前記加速度と閾値記憶部（１５）に記憶される閾値とを比較して，前記加速度が前記閾値以上である場合に，前記カラーオーダー記憶部（１７）に記憶されたＬＥＤ（５）の色の順にＬＥＤ（５）の色を変化させるよう，ＬＥＤ（５）の色に関する情報を出力する，
請求項１に記載のバルーン照明システム（１０）。
【請求項４】
前記色指令装置（７）は，閾値を記憶した閾値記憶部（１５）と，加速度の方向とＬＥＤ（５）の色の関係を記憶したカラー記憶部（１９）を有し，前記加速度と閾値記憶部（１５）に記憶される閾値とを比較して，前記加速度が前記閾値以上である場合に，前記加速度の方向に関する情報を用いて前記カラー記憶部（１９）からＬＥＤ（５）の色に関する情報を読み出して，読み出したＬＥＤ（５）の色に関する情報を出力する，
請求項１に記載のバルーン照明システム（１０）。
【請求項５】
請求項１に記載のバルーン照明システム（１０）であって，
１又は複数の屋内照明（２１）をさらに有し，
前記１又は複数の屋内照明（２１）は，前記色指令装置（７）からの指令によりその色を変化させるものであり，
前記色指令装置（７）は，前記バルーン（１）から受信した加速度に関する情報がＬＥＤ（５）の色を変化させる値である場合には，前記ＬＥＤ（５）にＬＥＤ（５）の色に関する情報を送信するとともに，前記１又は複数の屋内照明（２１）へ色に関する情報を送信し，
前記バルーン（１）に含まれるそれぞれの送受信器（３）は，前記色に関する情報を受信して，それぞれのＬＥＤ（５）の色を変化させるとともに，
前記１又は複数の屋内照明（２１）は，前記色に関する情報に基づいて照明色を変化させる，
バルーン照明システム（１０）。
【請求項６】
請求項１〜５のいずれかに記載のバルーン照明システム（１０）であって，
１又は複数のスクリーン（２２）をさらに有し，
前記１又は複数のスクリーン（２１）は，前記色指令装置（７）からの指令によりその色を変化させるものであり，
前記色指令装置（７）は，前記バルーン（１）から受信した加速度に関する情報がＬＥＤ（５）の色を変化させる値である場合には，前記ＬＥＤ（５）にＬＥＤ（５）の色に関する情報を送信するとともに，前記１又は複数の屋内照明（２１）へ色に関する情報を送信し，
前記バルーン（１）に含まれるそれぞれの送受信器（３）は，前記色に関する情報を受信して，それぞれのＬＥＤ（５）の色を変化させるとともに，
前記１又は複数のスクリーン（２１）は，前記色に関する情報に基づいて照明色を変化させる，
バルーン照明システム（１０）。
【請求項７】
第１のバルーン（３１）と，
前記第１のバルーン（３１）の内部に収容された送受信器（３３）付きＬＥＤ（３５）と，
前記第１のバルーン（３１）とは別の第２のバルーン（４１）であって，内部に収容された送受信器（４３）付きＬＥＤ（４５）を有するものと，
を含む，
バルーン照明システム（１０）であって，
前記第１のバルーン（３１）の送受信器付きＬＥＤ（３５）及び前記第２のバルーン（４１）の送受信器付きＬＥＤ（４５）は，それぞれ加速度センサ（３６，４６）を有し，前記加速度センサ（３６，４６）が測定した加速度により発光色を変化させるとともに，前記第１のバルーン（３１）の送受信器（３３）又は前記第２のバルーン（４１）の送受信器（４３）から色に関する無線信号を出力するものであり，
前記無線信号を受け取った前記第１のバルーン（３１）の送受信器（３３）又は前記第２のバルーン（４１）の送受信器（４３）は，前記色に関する情報を受信して，前記第１のバルーン（３１）の内部のＬＥＤ（３５）又は第２のバルーン（４１）内部のＬＥＤ（４５）の発光色を変化させる，
バルーン照明システム。
【手続補正書】
【提出日】平成23年1月19日(2011.1.19)
【手続補正１】
【補正対象書類名】特許請求の範囲
【補正対象項目名】全文
【補正方法】変更
【補正の内容】
【特許請求の範囲】
【請求項１】
バルーン（１）と，
前記バルーン（１）の内部に収容された送受信器（３）付きＬＥＤ（５）と，
前記ＬＥＤ（５）の送受信器（３）へ色指令に関する無線信号を出力する色指令装置（７）と，
を有するバルーン照明システム（１０）であって，
前記送受信器（３）付きＬＥＤ（５）は，加速度センサ（１３）を有し，
前記ＬＥＤ（５）の送受信器（３）は，前記加速度センサ（１３）が観測した加速度に関する情報を，前記色指令装置（７）へ送信し，
前記色指令装置（７）は，前記加速度に関する情報を受信し，前記加速度に基づいてＬＥＤ（５）の色を決定し，決定したＬＥＤ（５）の色に関する情報を前記ＬＥＤ（５）に送信し，
前記ＬＥＤ（５）の送受信装置は，前記色指令装置（７）から送信されたＬＥＤ（５）の色に関する情報を受信して，前記ＬＥＤ（５）は，当該受信したＬＥＤ（５）の色に関する情報に基づいて色を変化させる，
バルーン照明システム（１０）であって，
前記バルーン（１）は複数存在し，
前記色指令装置（７）は，あるバルーン（１）から受信した加速度に関する情報がＬＥＤ（５）の色を変化させる値である場合には，すべてのバルーン（１）にＬＥＤ（５）の色に関する情報を送信し，
前記複数のバルーン（１）に含まれるそれぞれの送受信器（３）は，前記色に関する情報を受信して，前記複数のＬＥＤ（５）は，それぞれのＬＥＤ（５）の色を変化させる
バルーン照明システム（１０）。
【請求項２】
前記色指令装置（７）は，閾値を記憶した閾値記憶部（１５）を有し，前記加速度と閾値記憶部（１５）に記憶される閾値とを比較して，前記加速度が前記閾値以上である場合に，前記ＬＥＤ（５）の色を変化させるように色に関する情報を出力する，
請求項１に記載のバルーン照明システム（１０）。
【請求項３】
前記色指令装置（７）は，閾値を記憶した閾値記憶部（１５）とＬＥＤ（５）の色の順番を記憶したカラーオーダー記憶部（１７）を有し，前記加速度と閾値記憶部（１５）に記憶される閾値とを比較して，前記加速度が前記閾値以上である場合に，前記カラーオーダー記憶部（１７）に記憶されたＬＥＤ（５）の色の順にＬＥＤ（５）の色を変化させるよう，ＬＥＤ（５）の色に関する情報を出力する，
請求項１に記載のバルーン照明システム（１０）。
【請求項４】
前記色指令装置（７）は，閾値を記憶した閾値記憶部（１５）と，加速度の方向とＬＥＤ（５）の色の関係を記憶したカラー記憶部（１９）を有し，前記加速度と閾値記憶部（１５）に記憶される閾値とを比較して，前記加速度が前記閾値以上である場合に，前記加速度の方向に関する情報を用いて前記カラー記憶部（１９）からＬＥＤ（５）の色に関する情報を読み出して，読み出したＬＥＤ（５）の色に関する情報を出力する，
請求項１に記載のバルーン照明システム（１０）。
【請求項５】
請求項１に記載のバルーン照明システム（１０）であって，
１又は複数の屋内照明（２１）をさらに有し，
前記１又は複数の屋内照明（２１）は，前記色指令装置（７）からの指令によりその色を変化させるものであり，
前記色指令装置（７）は，前記バルーン（１）から受信した加速度に関する情報がＬＥＤ（５）の色を変化させる値である場合には，前記ＬＥＤ（５）にＬＥＤ（５）の色に関する情報を送信するとともに，前記１又は複数の屋内照明（２１）へ色に関する情報を送信し，
前記バルーン（１）に含まれるそれぞれの送受信器（３）は，前記色に関する情報を受信して，それぞれのＬＥＤ（５）の色を変化させるとともに，
前記１又は複数の屋内照明（２１）は，前記色に関する情報に基づいて照明色を変化させる，
バルーン照明システム（１０）。
【請求項６】
請求項１〜５のいずれかに記載のバルーン照明システム（１０）であって，
１又は複数のスクリーン（２２）をさらに有し，
前記１又は複数のスクリーン（２１）は，前記色指令装置（７）からの指令によりその色を変化させるものであり，
前記色指令装置（７）は，前記バルーン（１）から受信した加速度に関する情報がＬＥＤ（５）の色を変化させる値である場合には，前記ＬＥＤ（５）にＬＥＤ（５）の色に関する情報を送信するとともに，前記１又は複数のスクリーン（２２）へ色に関する情報を送信し，
前記バルーン（１）に含まれるそれぞれの送受信器（３）は，前記色に関する情報を受信して，それぞれのＬＥＤ（５）の色を変化させるとともに，
前記１又は複数のスクリーン（２２）は，前記色に関する情報に基づいて照明色を変化させる，
バルーン照明システム（１０）。
【請求項７】
第１のバルーン（３１）と，
前記第１のバルーン（３１）の内部に収容された送受信器（３３）付きＬＥＤ（３５）と，
前記第１のバルーン（３１）とは別の第２のバルーン（４１）であって，内部に収容された送受信器（４３）付きＬＥＤ（４５）を有するものと，
を含む，
バルーン照明システム（１０）であって，
前記第１のバルーン（３１）の送受信器付きＬＥＤ（３５）及び前記第２のバルーン（４１）の送受信器付きＬＥＤ（４５）は，それぞれ加速度センサ（３６，４６）を有し，前記加速度センサ（３６，４６）が測定した加速度により発光色を変化させるとともに，前記第１のバルーン（３１）の送受信器（３３）又は前記第２のバルーン（４１）の送受信器（４３）から色に関する無線信号を出力するものであり，
前記無線信号を受け取った前記第１のバルーン（３１）の送受信器（３３）又は前記第２のバルーン（４１）の送受信器（４３）は，前記色に関する情報を受信して，前記第１のバルーン（３１）の内部のＬＥＤ（３５）又は第２のバルーン（４１）内部のＬＥＤ（４５）の発光色を変化させる，
バルーン照明システム。
【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
バルーン（１）と，
前記バルーン（１）の内部に収容された送受信器（３）付きＬＥＤ（５）と，
前記ＬＥＤ（５）の送受信器（３）へ色指令に関する無線信号を出力する色指令装置（７）と，
を有するバルーン照明システム（１０）であって，
前記送受信器（３）付きＬＥＤ（５）は，加速度センサ（１３）を有し，
前記ＬＥＤ（５）の送受信器（３）は，前記加速度センサ（１３）が観測した加速度に関する情報を，前記色指令装置（７）へ送信し，
前記色指令装置（７）は，前記加速度に関する情報を受信し，前記加速度に基づいてＬＥＤ（５）の色を決定し，決定したＬＥＤ（５）の色に関する情報を前記ＬＥＤ（５）に送信し，
前記ＬＥＤ（５）の送受信装置は，前記色指令装置（７）から送信されたＬＥＤ（５）の色に関する情報を受信して，前記ＬＥＤ（５）は，当該受信したＬＥＤ（５）の色に関する情報に基づいて色を変化させる，
バルーン照明システム（１０）であって，
前記バルーン（１）は複数存在し，
前記色指令装置（７）は，あるバルーン（１）から受信した加速度に関する情報がＬＥＤ（５）の色を変化させる値である場合には，すべてのバルーン（１）にＬＥＤ（５）の色に関する情報を送信し，
前記複数のバルーン（１）に含まれるそれぞれの送受信器（３）は，前記色に関する情報を受信して，前記複数のＬＥＤ（５）は，それぞれのＬＥＤ（５）の色を変化させる
バルーン照明システム（１０）。
【請求項２】
前記色指令装置（７）は，閾値を記憶した閾値記憶部（１５）を有し，前記加速度と閾値記憶部（１５）に記憶される閾値とを比較して，前記加速度が前記閾値以上である場合に，前記ＬＥＤ（５）の色を変化させるように色に関する情報を出力する，
請求項１に記載のバルーン照明システム（１０）。
【請求項３】
前記色指令装置（７）は，閾値を記憶した閾値記憶部（１５）とＬＥＤ（５）の色の順番を記憶したカラーオーダー記憶部（１７）を有し，前記加速度と閾値記憶部（１５）に記憶される閾値とを比較して，前記加速度が前記閾値以上である場合に，前記カラーオーダー記憶部（１７）に記憶されたＬＥＤ（５）の色の順にＬＥＤ（５）の色を変化させるよう，ＬＥＤ（５）の色に関する情報を出力する，
請求項１に記載のバルーン照明システム（１０）。
【請求項４】
前記色指令装置（７）は，閾値を記憶した閾値記憶部（１５）と，加速度の方向とＬＥＤ（５）の色の関係を記憶したカラー記憶部（１９）を有し，前記加速度と閾値記憶部（１５）に記憶される閾値とを比較して，前記加速度が前記閾値以上である場合に，前記加速度の方向に関する情報を用いて前記カラー記憶部（１９）からＬＥＤ（５）の色に関する情報を読み出して，読み出したＬＥＤ（５）の色に関する情報を出力する，
請求項１に記載のバルーン照明システム（１０）。
【請求項５】
請求項１に記載のバルーン照明システム（１０）であって，
１又は複数の屋内照明（２１）をさらに有し，
前記１又は複数の屋内照明（２１）は，前記色指令装置（７）からの指令によりその色を変化させるものであり，
前記色指令装置（７）は，前記バルーン（１）から受信した加速度に関する情報がＬＥＤ（５）の色を変化させる値である場合には，前記ＬＥＤ（５）にＬＥＤ（５）の色に関する情報を送信するとともに，前記１又は複数の屋内照明（２１）へ色に関する情報を送信し，
前記バルーン（１）に含まれるそれぞれの送受信器（３）は，前記色に関する情報を受信して，それぞれのＬＥＤ（５）の色を変化させるとともに，
前記１又は複数の屋内照明（２１）は，前記色に関する情報に基づいて照明色を変化させる，
バルーン照明システム（１０）。
【請求項６】
請求項１〜５のいずれかに記載のバルーン照明システム（１０）であって，
１又は複数のスクリーン（２２）をさらに有し，
前記１又は複数のスクリーン（２２）は，前記色指令装置（７）からの指令によりその色を変化させるものであり，
前記色指令装置（７）は，前記バルーン（１）から受信した加速度に関する情報がＬＥＤ（５）の色を変化させる値である場合には，前記ＬＥＤ（５）にＬＥＤ（５）の色に関する情報を送信するとともに，前記１又は複数のスクリーン（２２）へ色に関する情報を送信し，
前記バルーン（１）に含まれるそれぞれの送受信器（３）は，前記色に関する情報を受信して，それぞれのＬＥＤ（５）の色を変化させるとともに，
前記１又は複数のスクリーン（２２）は，前記色に関する情報に基づいて照明色を変化させる，
バルーン照明システム（１０）。
【請求項７】
第１のバルーン（３１）と，
前記第１のバルーン（３１）の内部に収容された送受信器（３３）付きＬＥＤ（３５）と，
前記第１のバルーン（３１）とは別の第２のバルーン（４１）であって，内部に収容された送受信器（４３）付きＬＥＤ（４５）を有するものと，
を含む，
バルーン照明システム（１０）であって，
前記第１のバルーン（３１）の送受信器付きＬＥＤ（３５）及び前記第２のバルーン（４１）の送受信器付きＬＥＤ（４５）は，それぞれ加速度センサ（３６，４６）を有し，前記加速度センサ（３６，４６）が測定した加速度により発光色を変化させるとともに，前記第１のバルーン（３１）の送受信器（３３）又は前記第２のバルーン（４１）の送受信器（４３）から色に関する無線信号を出力するものであり，
前記無線信号を受け取った前記第１のバルーン（３１）の送受信器（３３）又は前記第２のバルーン（４１）の送受信器（４３）は，前記色に関する情報を受信して，前記第１のバルーン（３１）の内部のＬＥＤ（３５）又は第２のバルーン（４１）内部のＬＥＤ（４５）の発光色を変化させる，
バルーン照明システム。